(57)【要約】【課題】  犬に着用させる犬用衣服につき、大・小の穿孔などは犬の歩行時に足の動きをスムーズにすると共に、雨や雪に対応させるため効率がよく利用できる犬用衣服である。【解決手段】  方形状の薄物の生地を全体を二つに等分し、その各生地の前・後方側の下端縁にそれぞれ小穿孔２，２と大穿孔３，３とを設けると共に、小穿孔２の前方側に縦方向に大きな縦溝孔４，４を設けている。【選択図】  図３
0003110783.tif 000002
【実用新案登録請求の範囲】
【請求項１】
全体を二つに等分した方形状の薄物の生地により形成される犬用衣服において、
前記各生地の前・後方側の下端縁にそれぞれ小穿孔と大穿孔とを設けると共に、
小穿孔の前方側に大きな縦溝孔を設けていることを特徴とする犬用衣服。
【請求項２】
全体を二つに等分した方形状の薄物の生地により形成される犬用衣服において、
前記各生地の前・後方側の下端縁にそれぞれ切込孔を設けていることを特徴とする犬用衣服。
【請求項３】
前記薄物の生地は、少なくとも防水性加工を施している請求項１又は２を特徴とする犬用衣服。
【考案の詳細な説明】
【技術分野】
【０００１】
本考案は、犬に着用される犬用衣服につき、特に大・小の穿孔などは犬の歩行時に足の動きをスムーズにすると共に、犬の着用時の違和感を与えずに着用が簡単に行え、かつ、衣服を折り畳むことにより嵩張ることがなく、携帯用として便利であり、雨や雪に対応させるために効率がよく、かつ優れた効果のある犬用衣服に関するものである。
【背景技術】
【０００２】
犬用衣服として各種形状のものが知られている。例えば、特許第３００１８８５号には、犬の首元から下服部を覆う広さの前みごろには、首まわりの曲面に合わせた前緑と、腰から下腹部にかけての胴まわりに合わせた後縁とを設け、前みごろの両側縁と上記前後縁との近接部をそれぞれ舌状の肩吊り部と腰吊り部とし、その先端部をそれぞれ犬の背中にて重合度自在に接離自在とし、前みごろに犬の四肢を挿入する前後足部を連動して設け、前後足部の下端部に引き締め帯を設けてなる犬用衣装である。
【０００３】
さらに、 特開平９−１９２３１号には、胴体覆い部と前脚覆い部と後覆い部及びフードを備えたペット用レインコートにおいて、胴体覆い部の先端側及び先脚覆い部に連設して直線状の襟部を形成し、胴部覆い部の下面を形成する左右の前見頃を重ね合わせ可能に形成すると共に、襟部の両端及び左右の前身頃縁に胴体部調整用の幅広の面ファスナを設け、さらに、胴体覆い部と襟部の接合部に弛みを形成してあるペット用レインコートを形成してある。
【０００４】
【特許文献１】特許第３００１８８５号公報
【特許文献２】特開平９−１９２３１号公報
【考案の開示】
【考案が解決しようとする課題】
【０００５】
上述した特許文献１の技術にあっては、犬の首元から下服部を覆う広さの前みごろと、首まわりの曲面に合わせた前緑と、腰から下腹部にかけた胴まわりに合わせた後縁と、前みごろの両側縁と上記前後縁とに舌状の肩吊り部と腰吊り部と、その先端部をそれぞれ犬の背中にて重合度自在に接離自在と、前みごろに犬の四肢を挿入する前後足部を連動した前後足部の下端部に引き締め帯を設けてなり、各構成部分が複数個形成されている。
このため、各構成部分があるために複数個の形成しなければならない欠陥がある。また、その構成部分には、接合テープや紐などを使用しなければならない欠陥があった。
【０００６】
さらに、特開平９−１９２３１号には、胴体覆い部と前脚覆い部と後覆い部及びフードを備えたペット用レインコートでは、上述する特許文献１のような欠陥があり、実用的なものでなかった。
【０００７】
本考案は、上述した問題点を解決するためになされたもので、愛玩用の犬に効率よく着用させる犬用衣服につき、特に大・小の穿孔などは犬の歩行時に足の動きをスムーズにすると共に、犬の着用時に違和感を与えずに着用が簡単に行え、衣服を折り畳むことにより嵩張ることがなく、携帯用として便利であり、雨や雪に対応させるために効率がよく、かつ優れた効果のある犬用衣服を提供することを目的てしている。
【課題を解決するための手段】
【０００８】
上記目的を達成するために、第一の考案の要旨は、全体を二つに等分した方形状の薄物の生地により形成される犬用衣服において、前記各生地の前・後方側の下端縁にそれぞれ小穿孔と大穿孔とを設けると共に、小穿孔の前方側に大きな縦長の穿溝孔を設けていることを特徴とする犬用衣服である。
第二の考案の要旨は、全体を二つに等分した方形状の薄物の生地により形成される犬用衣服において、前記各生地の前・後方側の下端縁にそれぞれ切込孔を設けていることを特徴とする犬用衣服である。
第三の考案の要旨は、前記薄物の生地は、少なくとも防水性加工を施していることを特徴とする犬用衣服である。
【考案の効果】
【０００９】
本考案によれば、次のような効果がある。
犬に密に着用できて、愛玩用の犬の運動時に便利となり、特に大・小の穿孔などは犬の歩行時に足の動きをスムーズにすると共に、犬の着用時の違和感を与えずに着用が簡単に行え、しかも衣服を折り畳むことにより嵩張ることがなく、携帯用として便利であり、雨や雪に対応させるために効率がよく、かつ優れた効果のある犬用衣服である。
【００１０】
さらに、生地の前・後方側の下端縁には、小・大の穿孔とを設けてあり、これに先・後の足部を挿入させるだけで着用できる。さらに、紐帯を首に結ぶことでさらに安定した着用ができる。
【考案を実施するための最良の形態】
【００１１】
本考案の実施形態を図面に基づいて説明する。
図１〜図３は、本考案の実施形態を示している。まず、本考案の犬用衣服１は、方形状の薄物の生地を全体を二つに等分してあり、その各生地の前・後方側の下端縁にそれぞれ小穿孔２，２と大穿孔３，３とを設けると共に、小穿孔２の前方側に縦方向に大きな縦溝孔４，４を設けている形状である。
【００１２】
つまり、本考案の犬用衣服１は、図３に示すように犬５の腹部６を覆うように前後の足部７，７を小穿孔２と大穿孔３にそれぞれ入れると共に、縦溝孔４を介して形成した紐帯８，８とを結ぶようにし、犬用衣服１を犬５に覆うようにすればよいのである。なお、犬５の形状に対応して形状を異にする犬用衣服１を複数枚用意すれば、多様な大きさの犬５に対応できるものである。
また、前記大・小の穿孔２，３は、この穿孔２，３に限定されずに円形や三角形、四角形、五角形などの多様な形状を含むものとしてある。
【００１３】
また、犬５の衣服は、ナイロンなどの生地を使用するのが好ましく、各種合成樹脂を使用することができ、雨や雪の際に便利なものとなる。
【００１４】
図４〜図６には、前記実施例と異なる例である。この例は、前記犬用衣服１１とは、異なるものであり、ライン９を介して生地の前・後の下端縁にそれぞれ円弧状の切込溝１２，１３を設けている形状である。つまり、図６に示すように前記切込溝１２，１３が犬５の腹部６を覆うように前後の足部７，７を切込溝１２，１３にそれぞれ入れることにより、犬用衣服１１を犬５に覆うようにすればよいのである。なお、犬５の形状に対応して形状を異にする犬用衣服１を複数枚用意すれば、犬５の大きさに対応できるものである。
なお、切込孔１２は、図示のような半円形状が理想的であるが、角張ったものなどでもよいものである。図示９は、二つに等分する際のラインを示している。
【産業上の利用可能性】
【００１５】
本考案は、犬に着用させる犬用衣服につき、特に大・小の穿孔などは犬の歩行時に足の動きをスムーズにすると共に、犬の着用時の違和感を与えずに着用が簡単に行え、衣服を折り畳むことにより嵩張ることがなく、携帯用として便利であり、雨や雪に対応させるために効率がよく、かつ優れた効果のある犬用衣服を提供できるものである。
【図面の簡単な説明】
【００１６】
【図１】本考案の実施形態を示す第一例の犬用衣装の平面図。
【図２】同斜視図。
【図３】同犬に着用した斜視図。
【図４】本考案の実施形態を示す第二例の犬用衣装の平面図。
【図５】同斜視図。
【図６】同犬に着用した斜視図。
【符号の説明】
【００１７】
１，１１    犬用衣服
２          小穿孔
３          大穿孔
４          縦溝孔
５          犬
【図１】
0003110783.tif 000003
【図２】
0003110783.tif 000004
【図３】
0003110783.tif 000005
【図４】
0003110783.tif 000006
【図５】
0003110783.tif 000007
【図６】
0003110783.tif 000008